(57)【要約】【課題】  使用時間によらず集塵室内の視認性に優れた電気掃除機を提供すること。【解決手段】  透明な部材で構成された集塵室３３の内壁面に付着した塵埃を、集塵室壁面押圧部３５と集塵室壁面押圧部駆動手段３６とからなる集塵室壁面塵埃剥離手段３４を用いて剥離するので、集塵室内の視認性の維持が継続可能な電気掃除機が提供できる。【選択図】  図１
2005066154.tif 000002
【特許請求の範囲】
【請求項１】
吸引用の送風機を内包する本体と、前記送風機の吸引部に連通した吸込み口と、前記吸込み口から前記送風機への吸引経路に配設され塵埃を集積する集塵室と、前記集塵室内に装着され集塵室内に取り込まれる空気中の塵埃を濾過するフィルターと、前記集塵室壁面に付着した塵埃を集塵室壁面から剥離する集塵室壁面塵埃剥離手段とを有する電気掃除機。
【請求項２】
集塵室壁面塵埃剥離手段は集塵室壁面に摩擦力を加える集塵室壁面押圧部と、前記集塵室壁面押圧部を駆動する集塵室壁面押圧部駆動手段とを有する請求項１記載の電気掃除機。
【請求項３】
フィルターに付着した塵埃をフィルターから剥離するフィルター塵埃剥離手段を備え、前記フィルター塵埃剥離手段はフィルター表面に摩擦力を加えるフィルター押圧部を有する請求項１または２に記載の電気掃除機。
【請求項４】
集塵室壁面塵埃剥離手段およびフィルター塵埃剥離手段を一定のタイミングで動作させる請求項３記載の電気掃除機。
【請求項５】
送風機への電力の供給を入切する電源スイッチと、時間を測定するタイマーとを有し、前記電源スイッチを切にした後一定時間集塵室壁面塵埃剥離手段およびフィルター塵埃剥離手段を動作させる請求項４記載の電気掃除機。
【請求項６】
フィルター塵埃剥離手段を動作させた後、集塵室壁面塵埃剥離手段を動作させる請求項５記載の電気掃除機。
【請求項７】
集塵室は本体から着脱自在であると共に、前記集塵室を本体から取り外す際一定時間集塵室壁面塵埃剥離手段を動作させる請求項１または２に記載の電気掃除機。
【請求項８】
集塵室壁面押圧部の少なくとも集塵室壁面当接部表面または集塵室壁面に潤滑剤をコーティングした請求項２〜７のいずれか１項に記載の電気掃除機。
【請求項９】
集塵室壁面押圧部または集塵室壁面に帯電防止加工を施した請求項２〜８のいずれか１項に記載の電気掃除機。
【請求項１０】
フィルター押圧部の少なくともフィルター当接部表面またはフィルター表面に潤滑剤をコーティングした請求項３〜９のいずれか１項に記載の電気掃除機。
【請求項１１】
フィルターまたはフィルター押圧部に帯電防止加工を施した請求項３〜１０のいずれか１項に記載の電気掃除機。
【請求項１２】
集塵室は、その一部または全部を、透明または半透明とした請求項１〜１１のいずれか１項に記載の電気掃除機。
【発明の詳細な説明】
【技術分野】
【０００１】
本発明は、家庭用の電気掃除機に関するものである。
【背景技術】
【０００２】
従来の電気掃除機としては、吸込み口が送風機の吸引部に連通し、吸込み口から送風機への吸引経路は塵埃を蓄積する集塵室が設けられており、さらに集塵室の送風機の吸引側にはフィルターが配設され、フィルターを介して集塵室と送風機の吸引側とはつながっていた。そして、送風機を運転するとその圧力で吸込み口から床面等の上にある塵埃を空気と共に本体内に吸い込み、送風機の吸引側前段のフィルターが塵埃成分を捕獲するので塵埃と空気が分離され、空気のみが送風機に吸引されて本体外に排気され、フィルターに捕獲された塵埃成分は、フィルターが配設されている集塵室に蓄積され、掃除機使用者が必要に応じて集塵室に溜まった塵埃を捨てるフィルターを用いたものがあった（例えば、特許文献１参照）。
【０００３】
また、使い捨ての集塵用紙パックを用いずに、掃除機の本体の吸引経路に着脱自在に装着され、内部で渦巻き状の空気の流れ（いわゆるサイクロン）を発生させる集塵ケース内に筒状のフィルターを備えて、このフィルターにより濾過された塵埃を集塵ケース内に蓄積できるようにしたサイクロン式の掃除機もあった（例えば、特許文献２参照）。
【０００４】
図１１は特許文献１に記載のフィルター式掃除機のフィルターを示すもので、粗塵を捕捉するためのネットより構成される一次フィルター２と不織布からなる二次フィルター３を具え同一枠４により成形され中央部５より二つ折りした状態でフィルター１を構成している。
【０００５】
さらに図１２は特許文献１に記載のフィルター式掃除機の構成を示すもので、集塵ケース６内面のガイドリブ７間に前記フィルター１が挿入され、電動送風機８の吸引力で塵埃を多量に含んだ空気流が流入し、一次フィルター２で綿綿等の粗塵が、二次フィルター３で細塵が分離濾過され、清浄な空気のみが本体外へ排出される構成となっていた。
【０００６】
図１３は特許文献２に記載のサイクロン式掃除機の集塵ケースの構成を示すもので、略円筒状の透明な合成樹脂などで形成された透明または半透明の集塵室本体９の内側にそれぞれ略円筒状の外側フィルター１０および内側フィルター１１が集塵室本体９と同心状に配されている。集塵室本体９内に入った塵埃を含む空気は、集塵室本体９の内壁の沿って旋回する。サイクロン空間１２内部において旋回しながら外側フィルター１０内部へ流れ、大きな塵埃（粗塵）は、集塵室本体９底部の空間部１３に堆積する。同様に外側フィルター１０内部へ流れた空気も更に旋回する。サイクロン空間１４内部において空気は旋回しながら内側フィルター１１内部へ流れ、内側フィルター１１を通過できない大きさの塵埃は空間部１５に堆積する。集塵室本体９の底部には、取手１６の下部に設けられたヒンジ１７により開閉自在に構成された底蓋１８が取り付けられている。この底蓋１８は、吸気管１９の下方に設けられたレバー２０の上部を押すことにより、レバー２０の下端に形成されたクランプ２１が底蓋１８の係止爪２２より外れて、集塵室本体９の下端開口を開放するようになっている。
【特許文献１】特開昭６３−５０８２０号公報
【特許文献２】特開２００３−１８０５８７号公報
【発明の開示】
【発明が解決しようとする課題】
【０００７】
しかしながら前記従来の構成では、フィルター表面に付着した塵埃の量が増すに従って、フィルターでの圧力損失が大きくなり、吸込み口からの吸引力が低下し集塵性能が悪化してしまう。つまり集塵性能は集塵室のゴミが全くないときをピークにして使用時間が長くなレバーなるほど低くなってしまうという課題を有していた。
【０００８】
そして、集塵性能をピーク時に戻そうとすると、フィルターを掃除したり水洗いしたりする必要があり非常に煩わしいものであった。またこの際、電気掃除機使用者の手にゴミが付着したり、部屋内にゴミを落としたりするなど非常に使い勝手が悪かった。
【０００９】
一方集塵室内の塵埃を廃棄したとしても集塵室壁面に付着した細かい塵埃は除去できず、布や紙などで集塵室壁面を掃除する必要があり非常に煩わしいものであった。
【００１０】
掃除を繰り返すと集塵室壁面に細かい塵埃が付着していくので、透明または半透明の集塵室であっても、集塵室の内部がよく見えず塵埃の量や様子を確認しにくいという課題も有していた。
【００１１】
本発明は、前記従来の課題を解決するもので、使用時間によらず安定した集塵性能を有すると共に使用時間によらず集塵室内の視認性に優れた掃除機を提供することを目的とする。
【課題を解決するための手段】
【００１２】
前記従来の課題を解決するために、本発明の電気掃除機は、吸引用の送風機を内包する本体と、前記送風機の吸引部に連通した吸込み口と、前記吸込み口から前記送風機への吸引経路に配設され塵埃を集積する集塵室と、前記集塵室内に装着され集塵室内に取り込まれる空気中の塵埃を濾過するフィルターと、前記集塵室壁面に付着した塵埃を集塵室壁面から剥離する集塵室壁面塵埃剥離手段とを有する構成としたものである。
【００１３】
これによって、集塵室壁面に付着した塵埃が塵埃剥離手段を用いて除去され、集塵室内の視認性の安定した掃除機の実現が可能となる。
【発明の効果】
【００１４】
本発明の電気掃除機は、集塵室壁面の自動クリーニングと塵埃と空気を分離するフィルターの自動クリーニングを実現することにより、使用時間によらず集塵室内の視認性の安定した掃除機を実現できる。
【発明を実施するための最良の形態】
【００１５】
第１の発明は、吸引用の送風機を内包する本体と、前記送風機の吸引部に連通した吸込み口と、前記吸込み口から前記送風機への吸引経路に配設され塵埃を集積する集塵室と、前記集塵室内に装着され集塵室内に取り込まれる空気中の塵埃を濾過するフィルターと、前記集塵室壁面に付着した塵埃を集塵室壁面から剥離する集塵室壁面塵埃剥離手段とを有する電気掃除機とすることにより、集塵室壁面に付着した塵埃が塵埃剥離手段を用いて除去され、安定した集塵室内の視認性の発揮が可能となる。
【００１６】
第２の発明は、特に、第１の発明の集塵室壁面塵埃剥離手段は集塵室壁面に摩擦力を加える集塵室壁面押圧部と、前記集塵室壁面押圧部を駆動する集塵室壁面押圧部駆動手段とを有することにより、集塵室壁面に付着した塵埃が塵埃剥離手段を用いて除去され、安定した集塵室内の視認性の発揮が可能となる。
【００１７】
第３の発明は、特に、第１または第２の発明のフィルターに付着した塵埃をフィルターから剥離するフィルター塵埃剥離手段を備え、前記フィルター塵埃剥離手段はフィルター表面に摩擦力を加えるフィルター押圧部を有することにより、フィルター表面の塵埃を除去するので安定した集塵性能が発揮できる。
【００１８】
第４の発明は、特に、第３の発明の集塵室壁面塵埃剥離手段およびフィルター塵埃剥離手段を一定のタイミングで動作させることにより、集塵室壁面に付着した塵埃が塵埃剥離手段を用いて除去されると共に、フィルター表面の塵埃を除去するので、安定した集塵室内の視認性と安定した集塵性能の発揮が可能となる。
【００１９】
第５の発明は、特に、第４の発明の送風機への電力の供給を入切する電源スイッチと、時間を測定するタイマーとを有し、前記電源スイッチを切にした後一定時間集塵室壁面塵埃剥離手段およびフィルター塵埃剥離手段を動作させることにより、自動で集塵室壁面に付着した塵埃が塵埃剥離手段を用いて除去されると共に、フィルター表面の塵埃を除去するので、安定した集塵室内の視認性と安定した集塵性能の発揮が可能となる。
【００２０】
第６の発明は、特に、第５の発明のフィルター塵埃剥離手段を動作させた後、集塵室壁面塵埃剥離手段を動作させることにより、フィルター表面の塵埃を除去した後、集塵室壁面に付着した塵埃が塵埃剥離手段を用いて除去されるので確実に集塵室内の視認性を確保することが可能となる。
【００２１】
第７の発明は、特に、第１または第２の発明の集塵室は本体から着脱自在であると共に、前記集塵室を本体から取り外す際一定時間集塵室壁面塵埃剥離手段を動作させることにより、ゴミ捨て直前にフィルター表面の塵埃と集塵室壁面に付着した塵埃を除去するので安定した集塵性能が発揮できるとともに、確実に集塵室内の視認性を確保することが可能となる。
【００２２】
第８の発明は、特に、第２〜７のいずれか１つの発明の集塵室壁面押圧部の少なくとも集塵室壁面当接部表面または集塵室壁面に潤滑剤をコーティングすることにより、集塵室壁面押圧部の集塵室壁面当接部表面または集塵室壁面は塵離れの良いものとなり、著しく安定した集塵室内の視認性を確保することが可能となる。
【００２３】
第９の発明は、特に、第２〜８のいずれか１つの発明の集塵室壁面押圧部または集塵室壁面に帯電防止加工を施したことにより、集塵室壁面押圧部の集塵室壁面当接部表面または集塵室壁面は塵離れの良いものとなり、著しく安定した集塵室内の視認性を確保することが可能となる。
【００２４】
第１０の発明は、特に、第３〜９のいずれか１つの発明のフィルター押圧部の少なくともフィルター当接部表面またはフィルター表面に潤滑剤をコーティングすることにより、フィルター当接部表面またはフィルター表面は塵離れの良いものとなり、著しく優れた集塵性能を維持し続ける掃除機を実現できる。
【００２５】
第１１の発明は、特に、第３〜１０のいずれか１つの発明のフィルターまたはフィルター押圧部に帯電防止加工を施すことによりフィルターまたはフィルター押圧部は塵離れの良いものとなり、著しく優れた集塵性能を維持し続ける掃除機を実現できる。
【００２６】
第１２の発明は、特に、第１〜１１のいずれか１つの発明の集塵室は、その一部または全部を、透明または半透明としたことにより、集塵室内の視認性を確保することができる。
【００２７】
以下、本発明の実施の形態について、図面を参照しながら説明する。なお、この実施の形態によって本発明が限定されるものではない。
【００２８】
（実施の形態１）
図１に本発明の第１の実施の形態における電気掃除機の構成を、図２に床上にある吸込み３１の外観をそれぞれ示す。送風機２３はモータ部２４、及びファン部２５より構成されている。ファン部２５の中央には吸引部２６が設けられている。排気口２７はモータ部２４に設けられている。送風機２３は本体２８にシールを兼ねた防振ゴム前２９及び防振ゴム後３０を介して本体２８に支持されている。吸込み口３１は、フィルター３２を有した集塵室３３を介して送風機２３の吸引部２６に連通している。集塵室３３は透明または半透明な部材で構成され、集塵室３３内の様子は集塵室３３外より目視により確認可能である。
【００２９】
図３および４に示す様に、集塵室壁面塵埃剥離手段３４は、集塵室壁面押圧部３５、集塵室壁面押圧部駆動手段３６である集塵室壁面用モータ３７、集塵室壁面用モータ動力伝達軸３８とで構成され、集塵室３３内上方に設けられている。また、集塵室壁面用モータ動力伝達軸３８外形はネジ形状になっている。集塵室壁面押圧部３５はブラシ３９、ブラシ支え４０から成り、ブラシ３９先端は、集塵室壁面４５を付勢するように取り付けられていて常に集塵室壁面４５に接触しつつ押圧している。ブラシ支え４０には集塵室壁面用モータ動力伝達軸３８の外形のネジと同じ呼び径のネジ４１と、集塵室壁面用モータ動力伝達軸３８の外径よりわずかに大きな径の孔４２が設けられている。
【００３０】
ブラシ３９表面はステンレス等の金属が蒸着されているため、蒸着しない場合に比べて表面の接触抵抗が著しく低下している。ブラシ３９およびブラシ支え４０は帯電防止処理が成されており正負いずれの静電気を帯びることがないようになっている。同様に集塵室壁面も表面に潤滑剤を塗布してあり著しく表面抵抗が低下している。さらに集塵室壁面４５は帯電防止処理が成されており正負いずれの静電気を帯びることがないようになっている。
【００３１】
図５および図６を用いて集塵室壁面塵埃剥離手段３４の動作を説明する。集塵室壁面押圧部３５はネジ４１を集塵室壁面用モータ動力伝達軸３８に締結されると共に、孔４２にブラシガイド４３（集塵室壁面用モータ動力伝達軸３８と同じ外径）が貫通した状態で静止している。集塵室壁面用モータ３７に通電されると、集塵室壁面用モータ動力伝達軸３８が回転する。集塵室壁面用モータ動力伝達軸３８はモータ回転軸（図示せず）に結合されているので上下方向には移動しないが、集塵室壁面押圧部３５はその回転に伴い矢印４４方向に平行移動する。このとき、孔４２がブラシガイド４３に接しながら移動するのでブラシ３９先端が集塵室壁面４５を付勢した状態を維持したまま集塵室壁面押圧部３５は移動する事になる。これによりブラシ３９が集塵室壁面４５を一方向に擦り集塵室壁面４５の塵埃を剥離する事ができる。一定時間集塵室壁面用モータ３７を回転させると集塵室壁面押圧部３５は初期位置４６から終端位置４７まで直線移動する。次に同じ時間集塵室壁面４５用モータ３７を逆回転させると集塵室壁面押圧部３５は矢印４８方向に平行移動し初期位置４６までもどり、ブラシ３９が集塵室壁面４５を直線運動で往復した事になる。
【００３２】
フィルター塵埃剥離手段４９は、フィルター押圧部５０、フィルター用モータ５１、フィルター用モータ動力伝達部５２とで構成されている。図７に示すようにフィルター押圧部５０はブラシ５３、ブラシ回転軸５０ａから成り、ブラシ５３先端は、フィルター表面を付勢するように取り付けられていて常にフィルター３２の表面に接触しつつ押圧している。フィルター用モータ動力伝達部５２はタイミングベルト６５、プーリー６６とから成り、フィルター用モータ５１の回転トルクを減速してブラシ回転軸５０ａに伝達するようになっている。
【００３３】
フィルター３２表面はステンレス等の金属が蒸着されているため、蒸着しない場合に比べて著しく表面抵抗が低下している。フィルター３２はフィルター支持部材５５により集塵室３３に固定されているが、フィルター３２及びフィルター支持部材５５は帯電防止処理が成されており正負いずれの静電気を帯びることがないようになっている。
【００３４】
集塵室壁面用モータ３７およびフィルター用モータ５１の駆動制御は、まずフィルター用モータ５１のみに一定時間電力を供給した後その電力供給を停止する。続いて集塵室壁面用モータ３７のみに一定時間電力を供給し、集塵室壁面用モータ３７への電力供給を停止するようになっている。
【００３５】
図８に集塵室壁面用モータ３７およびフィルター用モータ５１への電力供給のオンオフ制御の構成を示している。送風機２３への電力供給のオンオフを行う掃除機の電源スイッチ５６が遮断されると、今まで送風機２３に供給されている電力が０に変化したことを、電力変化検出部５７が検出する。次に電力変化検出部５７からの信号により電力制御部５８が電源５９からフィルター用モータ５１へ電流を流すと同時に電力制御部５８からの信号によりタイマー等の時間測定部６０が、電力制御部５８から信号を受けてからの経過時間を測定し始める。さらに時間測定部６０が測定した時間があらかじめ定められた時間になると、時間測定部６０からの信号により電力制御部５８が電源５９からフィルター用モータ５１への電流を遮断する。
【００３６】
続いて電力制御部５８が電源５９からモータ駆動手段６１を介して集塵室壁面用モータ３７へ電流を流すと同時に電力制御部５８からの信号により時間測定部６０が、電力制御部５８から信号を受けてからの経過時間を測定し始める。時間測定部６０が測定した時間があらかじめ定められた時間になると、時間測定部６０からの信号によりモータ駆動手段６１が集塵室壁面用モータ３７を逆回転させる。さらに時間測定部６０が測定した時間があらかじめ定められた時間を超えると時間測定部６０からの信号により、電力制御部５８が電源５９から集塵室壁面用モータ３７への電流を遮断するようになっている。
【００３７】
以上の構成で動作について説明する。掃除機使用者が本体２８から出ている電源プラグを家庭内にある電源コンセントに差し込んで、電源スイッチ５６を投入し送風機２３を駆動すると吸引力が発生し、矢印６２で示すよう床面６３の塵埃が吸込み口３１から吸引され、塵埃交じりの空気が集塵室３３に入り、塵埃成分がフィルター３２で分離されて清浄な気流のみが矢印６４で示すように本体２８の本体排気口２６より排気される。これにより床面６３の吸引清掃ができる。
【００３８】
この清掃によりフィルター３２表面には塵埃が堆積していくと共に、集塵室３３の内壁面と塵埃交じりの空気が接触することで粉末や砂などの細かい塵埃が集塵室３３の内壁面に付着する。
【００３９】
掃除機使用者が清掃終了後電源スイッチ５６を切ると送風機２３が停止する。同時に電力変化検出部５７が送風機２３に供給される電力が０に変化したこと検出し、電力制御部５８に信号を送る。電力変化検出部５７からの信号を受けた電力制御部５８は電源５９からフィルター用モータ５１へ電流を流すと同時に、時間測定部６０に信号を送る。
【００４０】
電力が供給されたフィルター用モータ５１は回転し、その回転力がタイミングベルト６５、プーリー６６を介して減速されブラシ回転軸５０ａに伝えられる。これによりブラシ５３がフィルター３２表面へ押さえつけられながら回転し続けて、フィルター３２で分離されフィルター３２表面に堆積した塵埃はブラシ５３により剥離され、集塵室３３（下部）に蓄積される。
【００４１】
一方電力制御部５８から信号を受けた時間測定部６０は、その時点からの経過時間を測定しており、その時間があらかじめ定められた時間を超えると、時間測定部６０が電力制御部５８に信号を送り、その信号により電力制御部５８はフィルター用モータ５１への電流を遮断し、フィルター塵埃剥離手段４９の動作を停止する。
【００４２】
この塵埃剥離の時、フィルター３２及びブラシ５３の表面接触抵抗が著しく低いため塵離れが容易であり、それぞれに剥離されずに残る塵はない。さらにフィルター３２及びブラシ５３は帯電防止処理が施され静電気を帯びることが無いので、塵埃が静電気によりフィルター３２及びブラシ５３に付着することが無い。
【００４３】
電力制御部５８はフィルター用モータ５１への電力供給を停止した後、引き続き電源５９からモータ駆動手段６１を介して集塵室壁面用モータ３７へ電流を流すと同時に電力制御部５８は時間測定部６０に信号を送る。
【００４４】
電力が供給された集塵室壁面用モータ３７は回転し、集塵室壁面押圧部３５はブラシ３９先端が集塵室壁面４５を不整下状態を維持したまま矢印４４方向に平行移動するので、ブラシ３９が集塵室壁面４５表面を一方向に擦り集塵室壁面４５の塵埃を剥離する事ができる。
【００４５】
一方電力制御部５８から信号を受けた時間測定部６０は、その時点からの経過時間を測定しており、その時間があらかじめ定められた時間を超えると、時間測定部６０が電力制御部５８に信号を送り、その信号により電力制御部５８はモータ駆動手段６１を介して集塵室壁面用モータ３７の回転方向を逆転させる。この時先程と同じ時間集塵室壁面用モータ３７を逆回転させるとブラシ３９が集塵室壁面４５を直線運動で往復しブラシ３９の初期位置４６まで戻ることになる。
【００４６】
この塵埃剥離の時、集塵室壁面４５及びブラシ３９の表面接触抵抗が著しく低いため塵離れが容易であり、それぞれに剥離されずに残る塵はない。さらに集塵室壁面４５及びブラシ３９は帯電防止処理が施され静電気を帯びることが無いので、塵埃が静電気により集塵室壁面４５及びブラシ３９に付着することが無い。
【００４７】
以上説明したように、掃除終了後にはまず集塵室３３内のフィルター３２表面の塵埃はフィルター塵埃剥離手段４９により剥離されるので、フィルター３２が塵埃で目詰まりを起こすなどにより圧力損失が大きく変動することが無い。このことにより吸込み口３１からの吸い込み力の変化も少なく安定した集塵性能を発揮する事ができる。更にその後集塵室壁面４５に付着した塵埃が集塵室壁面塵埃剥離手段３４により剥離されるので、掃除終了後には集塵室３３内の塵埃の量や塵埃の様子を目視で集塵室３３外より確認することができる。この時フィルター塵埃剥離手段４９を動作させた後、集塵室壁面塵埃剥離手段３４を動作させるので、フィルター塵埃剥離手段４９により剥離された後集塵室壁面４５に付着した塵埃も確実に剥離することができ、集塵室３３内の視認性改善効果を確実なものとしている。
【００４８】
また集塵室３３表面の塵埃が自動的に剥離され続けるので、電気掃除機使用者が集塵室壁面４５を掃除したり水洗いしたりと言った集塵室壁面４５のメンテナンスが一切不要である。さらに、集塵室壁面塵埃剥離手段３４のブラシ３９の塵離れが良いのでこのブラシ３９のメンテナンスも不要である。
【００４９】
同様に、集塵室３３内のフィルター３２表面の塵埃が自動的に剥離され続けるので、電気掃除機使用者がフィルター３２を掃除したり水洗いしたりと言ったフィルターメンテナンスが一切不要である。さらに、フィルター塵埃剥離手段４９のブラシ５３の塵離れが良いのでこのブラシ５３のメンテナンスも不要である。
【００５０】
なお本実施の形態では、送風機２３に供給されている電力が０に変化したことを、電力変化検出部５７が検出した後フィルター用モータ５１、集塵室壁面用モータ３７の順にそれぞれ単体で駆動する様な電力供給のオンオフ制御を行ったが、電力検出部が送風機２３に供給されている電力を検出するとフィルター用モータ５１、集塵室壁面用モータ３７の順にそれぞれ単体で駆動する様な電力供給のオンオフ制御を行っても同様の効果が得られる。
【００５１】
（実施の形態２）
本発明の第２の実施の形態における電気掃除機を図９および図１０を用いて説明する。実施の形態１と同様な部分は同番号を付してその説明を省略する。
【００５２】
図９に集塵室３３と本体２８との関係を示している。集塵室固定部６７の先端が集塵室壁面４５の角穴６８に嵌まった状態では本体２８から取り外す事はできないが、集塵室固定部６７が矢印６９方向に移動すると集塵室３３はフリーな状態となり本体２８より取り外し可能になる。また、掃除機使用者が集塵室取り外しボタン７０を押すと、フィルター塵埃剥離手段４９、集塵室壁面塵埃剥離手段３４の順にそれぞれ単体で駆動した後、集塵室取り外し制御手段７１が電磁石等のアクチュエータ７２を駆動し集塵室固定部６７を矢印６９方向に移動するようになっている。
【００５３】
図１０を用いて集塵室取り外し制御手段７１と集塵室壁面用モータ３７およびフィルター用モータ５１への電力の供給のオンオフ制御について説明する。集塵室取り外しボタン７０がおされると、集塵室取り外し制御手段７１から電力制御部５８に信号が送られる。その信号を受けた電力制御部５８は電源５９からフィルター用モータ５１へ電流を流すと同時に、時間測定部６０に信号を送る。電力制御部５８から信号を受けた時間測定部６０は、その時点からの経過時間を測定しており、その時間があらかじめ定められた時間を超えると、時間測定部６０が電力制御部５８に信号を送り、その信号により電力制御部５８はフィルター用モータ５１への電流を遮断し、フィルター塵埃剥離手段４９の動作を停止する。電力制御部５８はフィルター用モータ５１への電力供給を停止した後、引き続き電源５９からモータ駆動手段６１を介して集塵室壁面用モータ３７へ電流を流すと同時に電力制御部５８は時間測定部６０に信号を送る。電力制御部５８から信号を受けた時間測定部６０は、その時点からの経過時間を測定しており、その時間があらかじめ定められた時間を超えると、時間測定部６０が電力制御部５８に信号を送り、その信号により電力制御部５８はモータ駆動手段６１を介して集塵室壁面用モータ３７の回転方向を逆転させて先程と同じ時間駆動する。その後電力制御部５８からの信号により集塵室取り外し制御手段７１がアクチュエータ７２を駆動し集塵室固定部６７を矢印方向に移動させ、集塵室３３の本体２８へのロックが解除されて集塵室３３が本体２８より着脱自在な状態になる。
【００５４】
以上の構成で動作について説明する。掃除機は清掃によりフィルター３２表面には塵埃が堆積していくと共に、集塵室３３の内壁面と塵埃交じりの空気が接触することで粉末や砂などの細かい塵埃が集塵室３３の内壁面に付着している。掃除機使用者が集塵室３３内の塵埃を捨てようと集塵室取り外しボタン７０を押すと、集塵室取り外し制御手段７１から電力制御部５８に信号が送られる。その信号を受けた電力制御部５８は電源５９からフィルター用モータ５１へ電流を流すと同時に、時間測定部６０に信号を送る。
【００５５】
電力が供給されたフィルター用モータ５１は回転し、ブラシ５３がフィルター３２表面へ押さえつけられながら回転し続けて、フィルター３２で分離されフィルター３２表面に堆積した塵埃はブラシ５３により剥離され、集塵室３３（下部）に蓄積される。
【００５６】
一方電力制御部５８から信号を受けた時間測定部６０は、その時点からの経過時間を測定しており、その時間があらかじめ定められた時間を超えると、時間測定部６０が電力制御部５８に信号を送り、その信号により電力制御部５８はフィルター用モータ５１への電流を遮断し、フィルター塵埃剥離手段４９の動作を停止する。
【００５７】
電力制御部５８はフィルター用モータ５１への電力供給を停止した後、引き続き電源５９からモータ駆動手段６１を介して集塵室壁面用モータ３７へ電流を流すと同時に電力制御部５８は時間測定部６０に信号を送る。
【００５８】
電力が供給された集塵室壁面用モータ３７は回転し、ブラシ３９先端が集塵室壁面４５を付勢したまま平行移動し、集塵室壁面４５の塵埃を剥離する。
【００５９】
一方電力制御部５８から信号を受けた時間測定部６０は、その時点からの経過時間を測定しており、その時間があらかじめ定められた時間を超えると、時間測定部６０が電力制御部５８に信号を送り、その信号により電力制御部５８はモータ駆動手段６１を介して集塵室壁面用モータ３７の回転方向を逆転させてブラシ３９を初期位置４６まで戻す。その後電力制御部５８からの信号により集塵室取り外し制御手段７１が集塵室固定部６７を矢印方向に移動させ、集塵室３３の本体２８へのロックが解除されて集塵室３３が本体２８より着脱自在な状態になる。
【００６０】
以上説明したように、集塵室３３を本体２８より取り外す際には、まず集塵室３３内のフィルター３２表面の塵埃はフィルター塵埃剥離手段４９により剥離されるので、フィルター３２が塵埃で目詰まりを起こすなどにより圧力損失が大きく変動することが無い。このことにより吸込み口３１からの吸い込み力の変化も少なく安定した集塵性能を発揮する事ができる。更にその後集塵室壁面４５に付着した塵埃が集塵室壁面塵埃剥離手段３４により剥離されるので、集塵室３３が掃除機本体２８より取り外された後には集塵室３３内を目視で集塵室３３外より確認することができる。この時フィルター塵埃剥離手段４９を動作させた後、集塵室壁面塵埃剥離手段３４を動作させるので、フィルター塵埃剥離手段４９により剥離された後集塵室壁面４５に付着した塵埃も確実に剥離することができ、集塵室３３内の視認性改善効果を確実なものとしている。
【００６１】
また集塵室３３表面の塵埃が自動的に剥離されるので、電気掃除機使用者が集塵室壁面４５を掃除したり水洗いしたりと言った集塵室壁面４５のメンテナンスが一切不要である。さらに、集塵室壁面塵埃剥離手段３４のブラシ３９の塵離れが良いのでこのブラシ３９のメンテナンスも不要である。
【００６２】
同様に、集塵室３３内のフィルター３２表面の塵埃が自動的に剥離され続けるので、電気掃除機使用者がフィルター３２を掃除したり水洗いしたりと言ったフィルターメンテナンスが一切不要である。さらに、フィルター塵埃剥離手段４９のブラシ５３の塵離れが良いのでこのブラシ５３のメンテナンスも不要である。
【産業上の利用可能性】
【００６３】
以上のように、本発明にかかる電気掃除機は、集塵室壁面の自動クリーニングと塵埃と空気を分離するフィルターの自動クリーニングを実現することにより、使用時間によらず集塵室内の視認性を確保することが可能となるので、家庭用や業務用の掃除機等の用途にも適用できる。
【図面の簡単な説明】
【００６４】
【図１】本発明の実施の形態１における電気掃除機の集塵部の構成を示す図
【図２】同床上にある吸込み口の外観図
【図３】同集塵室壁面と集塵室壁面塵埃剥離手段の位置を示す平面図
【図４】同集塵室壁面と集塵室壁面塵埃剥離手段の位置を示す断面図
【図５】同集塵室壁面塵埃剥離手段の動作を示す図
【図６】同集塵室壁面塵埃剥離手段の動作を示す図
【図７】同フィルターの外観図
【図８】同集塵室壁面用モータおよびフィルター用モータへの電力の供給のオンオフ制御の構成を示す図
【図９】本発明の実施の形態２における集塵室と本体の関係を示す図
【図１０】同集塵室取り外し制御手段と集塵室壁面用モータおよびフィルター用モータへの電力の供給のオンオフ制御の構成を示す図
【図１１】従来の掃除機のフィルターを示す図
【図１２】従来の掃除機の構成を示す図
【図１３】従来のサイクロン方式掃除機の集塵ケースの構成を示す図
【符号の説明】
【００６５】
２３  送風機
２６  排気口
２７  吸引部
２８  本体
３１  吸込み口
３２  フィルター
３３  集塵室
３４  集塵室塵埃剥離手段
３５  集塵室壁面押圧部
３６  集塵室壁面押圧部駆動手段
４９  フィルター塵埃剥離手段
５０  フィルター押圧部
５６  電源スイッチ
６０  時間測定部
【図１】
2005066154.tif 000003
【図２】
2005066154.tif 000004
【図３】
2005066154.tif 000005
【図４】
2005066154.tif 000006
【図５】
2005066154.tif 000007
【図６】
2005066154.tif 000008
【図７】
2005066154.tif 000009
【図８】
2005066154.tif 000010
【図９】
2005066154.tif 000011
【図１０】
2005066154.tif 000012
【図１１】
2005066154.tif 000013
【図１２】
2005066154.tif 000014
【図１３】
2005066154.tif 000015